Podtech/llm-jp-corpus-v4-ja_patent huggingface dataset:
(57)【要約】      （修正有）【課題】腰痛で靴下の着用に時間の掛かる人など、腰を曲げずにこの用具に靴下をセットして靴下深く下にさげ中央の開いた部分に足指より足を入れることにより靴下を着用するものであり自動的に用具より外れるものである。足を少し上に上げるだけで又腰を軽く曲げるだけで靴下を着用する用具であり腰に負担をかけず腰痛の軽減にもなる。【解決手段】腰を軽く曲げるだけでソツクスポツトを持ち上げ靴下を棒の内側より外側に深くセツトして用具を下に置き中央部分の開いた部分に足を入れるだけである。メタボの方や腰痛の方にも楽で便利である。【選択図】図３
2014136153.tif 000002
【特許請求の範囲】
【請求項１】
靴下を止めるため２本の棒の上部に球を付け板に間隔を空け立て他方に同じ棒の球の下で２本を繋げた外側に出張り横棒を渡した２本の棒を間隔を開けて板に立てる。
４本の棒の球部に靴下の上部（ゴム部）内側より外側に取付け下に下げ靴下の空いた部分に足をい入れることにより靴下がはけるようにしたものである。
靴下をセツトした状態が足が入れ易いポツト（壺）の様にして履き易くした。
ソツクスポツトを持上げソツクスをセツトして床に置き片足より履くものである。
履く時は安全のために物に捕まつて使用することをお勧めします。
【発明の詳細な説明】
【技術分野】
【０００１】この発明は板に間隔を置き脱着が出来る上部に球をつけた４本の棒を立て靴下を取りつ着けて空いた部分に足を入れることにより着用できる補助用具である。
この用具を手に持ち靴下をセツトすることで足を少し上に上げるだけでまた立つたまま着用出来ので腰の負担を軽減できます。
【背景技術】
【０００２】腰が曲がらず、メタボなどで靴下の着用を不自由に感じる人などに便利である。
【発明の開示】
【発明が解決しようとする課題】
【０００３】この用具を手に持ち棒の部分の先端部分（球）に靴下をセツトして床に置き空いた部分に足を入れることにより足が入り易くなり軽く腰を曲げるだけで靴下を着用するものである。    高く足が上がらない人・腰痛・メタボなど靴下の着用に時間が掛かる人がふえている。
本発明は以上のような人を救うためのものである。
【課題を解決するための手段】
【０００４】靴下を着用するため用具を手に持ち棒の先端部分に靴下をセットして床に置き空間を広げて足が入り易くして着用し易くした用具である。
本発明は以上の構成よりなる靴下の着用のための用具である。
【発明の効果】
【０００５】この用具を下に置いて片足毎に安全のため物に手をかけて履く物である。
用具を下に置き足を入れて着用するもの足腰の負担が軽くなります。
腰を軽く曲げるだけで腰の負担も軽く腰痛の予防にもなる。
足を軽く上げるだけで着用出来るものである。
【発明を実施するための最良の形態】
【０００６】以下、本発明を実施するための最良の形態について説明する。
板に４本の先端部を球状にした棒を間隔をおい立てて内２本には外に出張る繋ぎ棒を付けけて板に立てます。
そこに靴下をセツトして中央部分に足を入れ易くしたものである。
この用具を使用する事により足を軽く上に上げるか又は腰を軽く曲げるだけで靴下を履きき易くしたものである。
【図面の簡単な説明】
【０００７】
【図１】  本発明の斜視図である。
【図２】  本発明の断面図である。
【図３】  本発明の用具に靴下セツトし足を入れる前の斜視図である。
【符号の説明】
【０００８】１  板に立てた棒
２  板に立てた繋がる棒
３  板の部分
４  セツトされた靴下
【図１】
2014136153.tif 000003
【図２】
2014136153.tif 000004
【図３】
2014136153.tif 000005
(57)【要約】      （修正有）【課題】貼り薬を人体患部へ貼付する際のねじれよじれ粘着部間の付着等の貼り仕損じを防止する方法を示すと共に、そこに用いる貼り薬貼付補助具を簡潔な構造及び形状により現状の貼り薬の販売梱包に同梱も可能なものとした貼り薬貼付補助具を提供する。【解決手段】薬貼付補助具１は、貼り薬２の非接着面に適度な硬度及び剛性を有する簡潔な構造体及び形状であるメッシュシートを粘着テープ４により接着仮固定、一体化した物であり、全体に適度な硬度及び剛性が得られ、貼り薬２を貼付する際のねじれよじれ及び貼り薬の粘着部間の付着等の貼り仕損じを防止すると共にその形状が薄型コンパクトである為、現状の貼り薬の販売梱包に同梱も可能とした貼りとなる。【選択図】図３
2014136148.tif 000002
【特許請求の範囲】
【請求項１】
貼り薬の非接着面と適度な硬度及び剛性を有するメッシュシートを粘着テープにより接着仮固定、一体化することにより全体に適度な硬度及び剛性が得られ、貼り薬を貼付する際のねじれよじれ及び貼り薬の粘着部間の付着等の貼り仕損じを防止する方法。
【請求項２】
請求項１に示した用途及び方法を目的とし、薄型で現状の貼り薬の販売梱包に同梱も可能な貼り薬貼付補助具。
【発明の詳細な説明】
【技術分野】
【０００１】  本発明は貼り薬を人体患部へ貼付する際のねじれよじれ粘着部間の付着等の貼り仕損じを防止する方法であり、貼り薬貼付補助具である。
【背景技術】
【０００２】  従来の貼り薬貼付改善方法及び貼り薬貼付補助具を目的とする発明は次のようなものがある。【０００３】
【特許文献１】特開２００１−１２９０９８号公報
【特許文献２】特開２００３−１３５６０５号公報
【特許文献３】特開２００３−２３０６３３号公報
【特許文献４】特開２００４−１８８１４５号公報
【特許文献５】特開２００４−３３７５８０号公報
【特許文献６】特開２００７−１９５６５１号公報
【特許文献７】特開２０１２−１７０４８０号公報
【０００４】  しかしながら、いずれも複雑な構造または形状を成しているものであり、スマートさに欠けており現状の貼り薬の販売梱包に同梱する事は出来なかった。
【発明の概要】
【発明が解決しようとする課題】
【０００５】  簡潔な構造及び形態による貼り薬貼付方法を示すと共に現状の貼り薬の販売梱包に同梱も可能な貼り薬貼付補助具を提供する事により貼り薬を貼付する際のねじれよじれ及び貼り薬の粘着部間の付着等の貼り仕損じを防止する方法及び貼り薬貼付補助具をより広く浸透させるものである。
【課題を解決するための手段】
【０００６】  上記課題を解決するために、請求項１及び請求項２記載の貼り薬貼付方法及び貼り薬貼付補助具は貼り薬の非接着面に適度な硬度及び剛性を有する簡潔な構造体及び形状であるメッシュシートを粘着テープにより接着仮固定、一体化することにより全体に適度な硬度及び剛性を得、貼り薬を貼付する際のねじれよじれ及び貼り薬の粘着部間の付着等の貼り仕損じを防止すると共にその形状が薄型コンパクトである為、現状の貼り薬の販売梱包に同梱も可能とした貼り薬貼付補助具となる。
【発明の効果】
【０００７】  本発明は次のような効果を奏する。
請求項２記載の貼り薬貼付補助具は連続した１枚のシートであるため薄くコンパクトであり現状の貼り薬の販売梱包に同梱も可能であり貼り薬と同サイズまたは二つ折りとして二倍サイズの同梱も可能である。【０００８】  本発明は次のような効果を奏する。
請求項２記載の貼り薬貼付補助具は単純なメッシュシート構造体であり、材質及び製造方法として適度な硬度と剛性を持つプラスチック連続押出成形または射出成形による製品等が適当であり一式当たりの製造原価を安価に押さえることが可能なため既存の貼り薬の販売梱包に同梱する動機付けにも寄与し、またその商品そのものに付加価値を与える。【０００９】  本発明は次のような効果を奏する。
請求項１及び請求項２記載の貼り薬貼付方法及び貼付補助具は貼り薬の非接着面に粘着テープにより接着仮固定、一体化した後、人体患部に貼付する、この一連の作業動作を繰り返す実証実験では４０回程度は貼り薬貼付補助具側に配する接着仮固定用粘着テープの粘着力の低下は認められなかったしかし粘着力が低下した場合、市販の粘着テープによる交換を以て初期の粘着性能を復帰せしめる事が出来る為、貼り薬貼付補助具の使用限界は貼り薬貼付補助具のメッシュシート本体の強度及び耐久性に依存し長期の粘着性能を保持する事ができる。
【図面の簡単な説明】
【００１０】
【図１】  この発明、貼り薬貼付補助具の平面図である。
【図２】  この発明、貼り薬貼付方法及び貼り薬貼付補助具の実施使用例（貼り薬貼付補助具を貼り薬の非接着面に粘着テープにより接着仮固定、一体化前）断面図である。
【図３】  この発明、貼り薬貼付方法及び貼り薬貼付補助具の実施使用例（貼り薬貼付補助具を貼り薬の非接着面に粘着テープにより接着仮固定、一体化中）断面図である。
【図４】  この発明、貼り薬貼付方法及び貼り薬貼付補助具の実施使用例（貼り薬貼付補助具を貼り薬の非接着面に粘着テープにより接着仮固定、一体化後）貼り薬貼付面側正面図である。
【発明を実施するための形態】
【００１１】  本発明、貼り薬貼付方法及び貼り薬貼付補助具１を使用する際はまず貼り薬２の非接着面を上にして平らな部分に置きその上に貼り薬貼付補助具１を重ね、その上から粘着テープ４を貼り薬２に合わせたサイズで配置する図２、図２の状態から図３に示すように貼り合わせるこの際、手５によりメッシュシート開口部の要所（貼り薬２の四隅及び外縁部）を指で挟み込み押圧、圧着させる。
【００１２】  次に粘着テープ４により接着仮固定、一体化した図３の貼り薬２と貼り薬貼付補助具１は全体に適度な硬度及び剛性が得られており貼り薬２そのものの軟弱さによる屈曲等が一時的に解消され片手でも容易に持てる状態になっている。
【００１３】  このように、一体化した図３の貼り薬２と貼り薬貼付補助具１の貼り薬の接着面剥離シート３を剥がし貼り薬２の人体患部への貼付を実施し、貼り薬２のみを人体患部に残しその他を離剥、貼り薬２の貼付作業を完了する。
【００１４】  尚、独自で腰肩等、手の届く範囲以外の背中等に図３の貼り薬２と貼り薬貼付補助具１を人体患部に貼付する場合は、貼り薬貼付補助具１のメッシュシートが長ければタスキ掛け状に貼付可能となり、また貼り薬２とほぼ同サイズの図３の貼り薬２と貼り薬貼付補助具１の場合であっても壁や椅子等に画鋲及び粘着テープ等で仮に支持固定し、人体患部を押し当てることにより貼り薬２を人体患部に貼付可能である。
【符号の説明】  １  貼り薬貼付補助具
２  貼り薬
３  貼り薬の接着面剥離シート
４  粘着テープ
５  手
【図１】
2014136148.tif 000003
【図２】
2014136148.tif 000004
【図３】
2014136148.tif 000005
【図４】
2014136148.tif 000006
(57)【要約】【課題】自分でスタイリングしても、うまくコツをつかめなかった。いつも同じスタイルにするにも時間がかかっていた。本発明は簡単にボリューム感を出すためのヘアーブラシを提供する。【解決手段】本体部とブラシ部の間に回転軸があり、ブラシハンドル部を親指で上下することにより髪がブラシ部に絡まり軽いウェーブ感が出ることを特徴とするヘアーブラシ。【選択図】図２
2014136147.tif 000002
【特許請求の範囲】
【請求項１】
本体部とブラシ部の間に回転軸又は歯車を設け、回転椅子のようにブラシ部が、左右回転するヘアーブラシ。
【発明の詳細な説明】
【技術分野】
【０００１】  本発明は、頭髪のボリュームを簡単に行えるヘアーブラシに関するものである。
【背景技術】
【０００２】  従来、ヘアーブラシ自体をひねったり、巻いたりしていた。
【先行技術文献】
【特許文献】
【０００３】
【特許文献１】
【発明の概要】
【発明が解決しようとする課題】
【０００４】  自分でスタイリングしてもうまくコツがつかめなかった。いつも同じ形にするには、時間もかかっていた。本発明は、以上の問題点を解決するためになされたものである。
【課題を解決するための手段】
【０００５】  本体部とブラシ部の間に回転軸（歯車）を設け、ブラシハンドル部によって回転椅子のように、ブラシ部が半回転する。
以上の構成よりなるヘアーブラシ。
【発明の効果】
【０００６】  髪のボリュームアップが、短時間で簡単に仕上げることができる。本発明は、いつも同じ感じに仕上げることができる。
【図面の簡単な説明】
【０００７】
【図１】本発明の斜視図
【図２】本発明の使用状態を示す斜視図
【図３】本発明の斜視図
【発明を実施するための形態】
【０００８】  以下の、本発明の実施の形態を説明する。
（イ）本体部（１）の中央部に、回転軸部（５）を設ける。
（ロ）ブラシ部（３）の中央部と本体部（１）中央部の回転軸部（５）を重ね合わせる。
本発明は以上のような構造である。
本発明を使用するときは本体部（１）とブラシ部（３）を平行にして髪をとかし、ボリュームを出したい部分にブラシハンドル部（３）を親指で、上又は下に動かします。
ブラシ部（３）が回転し、凸部（６）によって回転しすぎないように止まります。
ブラシ部（３）が髪に絡みひねりが加わり、軽いウェーブ感が出ます。
ドライヤーをあてるなり、ヘアースプレーを使用するなどして整えます。
【符号の説明】
【０００９】  １  本体部、  ２  握り部、  ３  ブラシ部、  ４  ブラシハンドル部、
５  回転軸部（歯車）、  ６  凸部、
【図１】
2014136147.tif 000003
【図２】
2014136147.tif 000004
【図３】
2014136147.tif 000005
(57)【要約】【課題】従来の防災頭巾は頭部を守るという用途しかないため、日常の保管場所で非常時には、すぐに持ちだせる状態ない場合が多く、非常時に活用できない場合もある。また、子供用のものは流通しているが、大人用のものの流通が非常に少ない。【解決手段】日常生活中、四季で着用している衣服の収納用具と使用しながら、非常時には持出必需品である重要書類（免許、保健証、年金手帳、通帳等々）や常用薬をこの発明品ひとつで持ち出せる様に貴重品外側にファスナー付の５箇所の収納ポケットを持ち、内側に大きな収納２箇所、小さな収納１箇所と重要書類を入れるファスナー付収納１箇所を有し、上部は四季の衣料を収納している部分が緩衝材となり、頭巾として被ることで頭部・上半身を落下物から守られ、避難時の衣料の持出ともなる。また肩にかけ羽織ることもできるよう工夫した衣類収納兼用防災頭巾。【選択図】図１
2014136149.tif 000002
【特許請求の範囲】
【請求項１】
日常の四季の衣料の収納が、避難時の防災頭巾の緩衝材の役割となり、防災頭巾として被れる構造で、貴重品持ちだしも出来る構造と、外側にファスナー付の５箇所の収納ポケットを持ち、内側に大きな収納２箇所、小さな収納１箇所と重要書を入れるファスナー付収納１箇所を有し、上部は頭巾として被ることが出来て頭部・上半身を落下物から守られる構造をもち、肩にかけ羽織ることもできるよう工夫した構造からなる衣類収納兼用防災頭巾。
【発明の詳細な説明】
【技術分野】
【０００１】本発明は日常では四季折々の衣服の収納として活用できるが、災害時に於ける避難においては持出し必需品（衣服、下着、通帳等重要書類控え等々）を簡単に持出でき、その避難時は頭部から被ることで頭部を守る防災頭巾として活用できる。頭部に被るだけなので、避難時には両手を自由に使え安全な避難行動がとれる。避難所生活を送るようになった場合でも、防寒具として活用でき、頭巾の緩衝材としているため、着替え衣料を準備される衣類収納兼用防災頭巾に関するものである。
【背景技術】
【０００２】従来の防災頭巾では物の落下等による頭部の損傷を軽減することを目的としていた。
【発明の概要】
【発明が解決しようとする課題】
【０００３】頭部を守るという用途が主であるが、非常時にすぐに持ちだせる状態で日常保管されていない場合が多く、頭巾を捜すことができずに非常時に活用できなる場合もある。また、子供用のものは流通しているが、大人用のものの流通が少ない。
【課題を解決するための手段】
【０００４】収納については、外側にファスナー付の５箇所の収納ポケットを持ち、内側に大きな収納２箇所、小さな収納１箇所と重要書を入れるファスナー付収納１箇所を有し、上部は頭巾として被ることが出来るようになっている。また、肩にかけ羽織ることもできるよう工夫した。このように防災頭巾としての役割を高めた。
【発明の効果】
【０００５】頭巾の頭部を守るという用途以外に日常的に収納として活用されるため、非常時の持出をより一層容易となるようにした。また、頭巾の中綿の代わりとなる収納された衣類を用いることで、避難時の生活を守ることもできるようになった。その上、貴重書類も同時に持出せる構造とした。
日常の利用用途を持たせることで、非常時に持出せるようになる。また、四季それぞれの期の衣服を収納して置くことで、四季に合った服装での避難生活が可能となる。また、非常持出に重要な免許証、年金手帳、保険証、銀行通帳等の覚書あるいはコピーを収納することができるため、とりあえず、この衣類収納兼用防災頭巾を持ちだせば良いという安心感がある。
四季の着衣を上部二か所に収納されていることで、それが頭巾の中綿と同様に衝撃を和らげる衝撃緩衝材となるため、避難時に頭から被ることで、落下物から頭部を守る防災頭巾の役割を持つ事となる。
【図面の簡単な説明】
【０００６】
【図１】本発明の正面から見た斜視図
【図２】本発明の後面から見た斜視図
【図３】本発明の内側から見た斜視図
【発明を実施するための形態】
【０００７】以下本発明の実施の形態を説明する。
（イ）平常時には、つり下げひも（１）の輪の中につり下げひも（５）と（１０）を通して、いつ持ち出し可能な状態にして縛って掛けておく。
（ロ）左右の収納口（１９）に四季おりおりの衣類等を収納してファスナー（３）（４）（１２）（１４）（１６）の内部には必要とするものを収納する。
（ハ）ショルダーとして活用する場合はつり下げひも（１）の輪の中につり下げひも（５）と（１０）を通し、しばった本発明品をショルダーひも（２）を肩にかけて使用する。
（ニ）本発明品を非常時に防災頭巾として使用する場合は、頭部から本発明品を被り、首ひも（６）（７）を縛り頭部を保護する。
（ホ）名札（１５）は自分のものと分かるように名前を記入する。
（ヘ）収納小袋（１１）（１３）（１８）はメモなど小物を入れ活用する。
【符号の説明】
【０００８】  １．つり下げひも
２．ショルダーひも
３．ファスナー
４．ファスナー
５．つり下げひも
６．首ひも
７．首ひも
８．内側収納ポケット
９．内側収納ポケット
１０．つり下げひも
１１．収納小袋
１２．ファスナー
１３．収納小袋
１４．ファスナー
１５．名札
１６．ファスナー
１７．背ひだ
１８．収納小袋
１９．左右収納口
２０．ファスナー
【図１】
2014136149.tif 000003
【図２】
2014136149.tif 000004
【図３】
2014136149.tif 000005
(57)【要約】【課題】ドリル穴開け作業において、容易に同じ深さの穴を開けられる器具を提供する。【解決手段】本発明のドリル穴深さ調整具１をドリルシャフトの中央、必要な深さの位置に２つのスパナを用いて締め付け、ドリル穴深さ調整具１が移動しないよう固定する。そうすればドリルの刃はドリル穴深さ調整具１を取り付けた位置の深さしか入らないため容易に同じ深さの穴加工が出来る。また人力による電動ドリルでの穴開け作業の時に、押し力を一杯かけた状態の時に穴が貫通してもドリル穴深さ調整具１の位置で止まるため移動距離が短く惰性で体が突っ込んでも衝撃は少なく、ドリル刃の折損などには至らない。【選択図】図１
2014136307.tif 000002
【特許請求の範囲】
【請求項１】
雄ネジのシャフト中央に必要なドリルサイズの貫通穴１ｃを開け、ドリル刃先方向に締め付け、緩めのためのスパナ受け部１ｂを設ける。テーパーネジナット５を捻じ込む方向には、締め付けたときに収縮するように切込み２つ型２、切込み３つ型３、切込み４つ型４の何れかを選択し、切込みを入れる。切込み選択の条件は肉厚大１１の時は切込み４つ型４とし、肉厚中１２の時は切込み３つ型３とし、肉厚小１３の時は切込み２つ型２する。この選択は締め付けたときに容易に収縮できるようにするためと、ネジ部１ａに掛かる負担を軽減するものである。上記からなるドリル穴深さ調整具１。このドリル穴深さ調整具１は全てのサイズのドリルに適用する。
【請求項２】
ドリル穴深さ調整具１で締め付けに使われるテーパーネジナット５はネジが途中までしか切られていない、ネジ部がテーパー状になっているものでありこれを特徴とするテーパーネジナット５。
【発明の詳細な説明】
【技術分野】
【０００１】この発明は、金属などに穴を開けるドリルに関する物である。
【背景技術】
【０００２】従来、金属などに穴を開ける場合電動ドリルなどで加工する。
【発明の概要】
【発明が解決しようとする課題】
【０００３】従来の技術で、電動ドリルで金属などに穴を開けるが、穴の深さを一定の深さに開けることが困難である。【０００４】また、人力による電動ドリルでの穴開け作業の時に、押し力を一杯かけた状態の時に穴が貫通するため、惰性で体が突っ込みドリルの根本までドリルを突っ込んでしまこともあり特に細いドリルの場合、ドリル刃の折損なども発生する。
【課題を解決するための手段】
【０００５】以上の課題を解決するために、第一発明は、ドリル刃本体に穴深さを調整できる器具を装着する。
【発明の効果】
【０００６】第一発明によれば、ドリル刃本体にドリル穴深さ調整具１を必要な深さの位置に固定し穴開けをすれば簡単に一定の深さで穴開けができる。【０００７】また、ドリル穴深さ調整具１を取り付けた状態であれば、人力による電動ドリルでの穴開け作業の時に、押し力を一杯かけた状態の時に穴が貫通しても移動距離が短いため惰性で体が突っ込んでも衝撃は少なく、ドリル刃の折損などには至らない。
【図面の簡単な説明】
【０００８】
【図１】ドリルにドリル穴深さ調整具１を取り付けた状態の断面図
【図２】ドリル穴深さ調整具１の正面図
【図３】ドリル穴深さ調整具１の下面図
【図４】ドリル穴深さ調整具１の左側面図
【図５】ドリル穴深さ調整具１の切込み４つ型４の斜視図
【図６】ドリル穴深さ調整具１の切込み３つ型３の斜視図
【図７】ドリル穴深さ調整具１の切込み２つ型２の斜視図
【発明を実施するための形態】
【０００９】この発明の一実施形態を、図２に示す。雄ネジのシャフト中央に必要なドリルサイズの貫通穴１ｃを開け、ドリル刃先方向に締め付け、緩めのためのスパナ受け部１ｂを設ける。
テーパーネジナット５を捻じ込む方向には、締め付けたときに収縮するように切込み２つ型２、切込み３つ型３、切込み４つ型４の何れかを選択し、切込みを入れる。切込み選択の条件は肉厚大１１の時は切込み４つ型４とし、肉厚中１２の時は切込み３つ型３とし、肉厚小１３の時は切込み２つ型２する。この選択は締め付けたときに容易に収縮できるようにするためと、ネジ部１ａに掛かる負担を軽減するものである。
【符号の説明】
【００１０】１ドリル穴深さ調整具    １ａネジ部    １ｂスパナ受け部    １ｃ貫通穴
２切込み２つ型    ３切込み３つ型    ４切込み４つ型    ５テーパーネジナット
５ａテーパーネジ部    １１肉厚大    １２肉厚中    １３肉厚小    １００ドリル
１００ａドリル刃先
【図１】
2014136307.tif 000003
【図２】
2014136307.tif 000004
【図３】
2014136307.tif 000005
【図４】
2014136307.tif 000006
【図５】
2014136307.tif 000007
【図６】
2014136307.tif 000008
【図７】
2014136307.tif 000009
(57)【要約】【課題】  従来の印刷紙による意匠表現では発現できなかった、光輝性立体模様がメラミン樹脂層の上に形成された化粧板を得る。【解決手段】  メラミン樹脂含浸パターンと、コア材と、光影響立体模様層形成フィルムを積層し、メラミン樹脂層の上に光影響立体模様層を転写形成する。光影響立体模様層フィルムにはエンボスホログラムフィルム、エンボスフルネルレンズフィルムを用いる。ホログラム層は１／１０００〜１３００ｍｍ以下の密度で超微細エンボスが形成されており、超微細エンボスは光の波長程度の長さに相当する高い密度でエンボス加工の施された面によって、入射した光は互いに波長が干渉しあい、干渉縞が観測されホログラム効果を発揮する。フルネルレンズ層は凸レンズを同心円状の領域に分割し厚みを減らし、ノコギリ状の断面を有するものであり、平面を立体的に表現できる。【選択図】  図１
2014136364.tif 000002
【特許請求の範囲】
【請求項１】
メラミン樹脂層の上に受光型立体模様層が形成された化粧板。
【請求項２】
前記受光型立体模様層がホログラム層或いはフルネルレンズ層である請求項１記載の化粧板。
【発明の詳細な説明】
【技術分野】
【０００１】
本発明は化粧板に関する。
【背景技術】
【０００２】
メラミン化粧板は豊富な色柄と、表面強度、メインテナンス性など優れた特徴を有することから店舗、医療福祉施設など公共施設の家具・什器から住宅家具まで幅広い用途で使用されている。
【特許文献１】特開平８−２５３０４号公報
【発明の概要】
【発明が解決しようとする課題】
【０００３】
しかしながら、近年内装デザインの分野においては、益々意匠に関する価値観が多様化し、従来の印刷紙による色柄の意匠表現では限界があった。
【課題を解決するための手段】
【０００４】
本発明は、メラミン樹脂層の上にホログラム層或いはフルネルレンズ層が形成された化粧板である。
【発明の効果】
【０００５】
本発明では光の影響により立体模様を発現する受光型立体模様層がメラミン樹脂層の上に形成されると、見る角度によって色彩や模様が変化する立体的イメージを発現させることができ、印刷紙では発現できなかった意匠を発揮する。
【発明を実施するための最良の形態】
【０００６】
以下、本発明を図面に基づいて詳細に説明する。図１は実施例１の製造方法を示す構成断面図、図２は実施例３の製造方法を示す構成断面図である。
【０００７】
図１において、ホログラム層は１／１０００〜１３００ｍｍ以下の密度で超微細エンボスが形成されており、ホログラムフィルム１を樹脂含浸パターン紙５の上に載せて樹脂含浸コア紙６とともに積層し、熱圧成形し、ホログラムフィルムを剥離することにより、エンボスホログラム層が転写される。
【０００８】
超微細エンボスは光の波長程度の長さに相当する高い密度でエンボス加工の施された面によって、入射した光は互いに波長が干渉しあい、干渉縞が観測されホログラム効果を発揮する。
【０００９】
図２においては、光輝性立体模様を形成するフィルムとしてフルネルレンズフィルムが用いられており、フルネルレンズ層は凸レンズを同心円状の領域に分割し厚みを減らし、ノコギリ状の断面を有するものであり、平面を立体的に表現できる。
【００１０】
樹脂含浸パターン紙は化粧板用の化粧紙にメラミン−ホルムアルデヒド樹脂を含浸し、乾燥してものが適用でき、含浸率は数１で示される算出方法で１００〜３００％となるように、また、揮発分は数２で示される算出方法で４．０〜１０．０％となるように製造する。揮発分が下限に満たないと立体模様の鮮明性が劣りやすくなり、上限を超えるとベタツキやすくなる。尚、揮発分の乾燥条件は、含浸紙を１６０℃で１０分乾燥したものである。
【数１】
2014136364.tif 000003
【数２】
2014136364.tif 000004
【００１１】
樹脂含浸コア紙は化粧板用のコア紙にフェノール−ホルムアルデヒド樹脂を含浸し、乾燥してものが適用でき、含浸率は数１で示される算出方法で、４０〜１００％となるように、また、揮発分は数２で示される算出方法で４．０〜９．５％となるように製造する。揮発分が下限に満たないと樹脂含浸コア紙間の密着性が劣りやすくなり、上限を超えるとベタツキやすくなる。
【００１２】
本発明においてコア材にはクラフト紙にフェノール樹脂含浸コア紙を用いているが、他にも、不織布、織布などの不燃性のスラリーを含浸し、乾燥したもの、珪酸カルシウム板や石膏ボードなどの無機質基材を用いる事が可能である。
【００１３】
熱圧成形の条件は、温度１２５〜１６０℃、圧力４０〜７０ｋｇ／ｃｍ２とする。
【実施例１】
【００１４】
超微細エンボスでホログラム効果を発揮するエンボスホログラムフィルムを用意した。
１２０ｇ／ｍ２の抄造紙にメラミン−ホルムアルデヒド樹脂を主成分とする樹脂液を含浸率が１３０％、揮発分が８．５％となるように含浸、乾燥してメラミン樹脂含浸パターン紙を得た。
１９８ｇ／ｍ２のクラフト紙にフェノール−ホルムアルデヒド樹脂を主成分とする樹脂液を含浸率が５３％、揮発分が７．５％となるように含浸、乾燥してフェノール樹脂含浸コア紙を得た。
下から順に、フェノール樹脂含浸コア紙を４枚、メラミン樹脂含浸パターン紙を１枚、ホログラムフィルムを１枚積層し、１３２℃、７０ｋｇ／ｃｍ２の熱圧条件で成形後ホログラムフィルムを剥がして、化粧板を得た。化粧板のメラミン樹脂層の上にはエンボスホログラム層が転写形成されていた。
【実施例２】
【００１５】
実施例１において、メラミン樹脂含浸パターン紙の揮発分を４．１％とした以外は同様に実施した。化粧板のメラミン樹脂層の上にはエンボスホログラム層が転写形成されていた。
【実施例３】
【００１６】
実施例１において、ホログラムフィルムの代わりにフルネルレンズフィルムを用いた以外は同様に実施した。化粧板のメラミン樹脂層の上にはフルネルレンズ層が転写形成されていた。
【実施例４】
【００１７】
実施例３において、メラミン樹脂含浸パターン紙の揮発分を４．１％とした以外は同様に実施した。化粧板のメラミン樹脂層の上にはフルネルレンズ層が転写形成されていた。
【００１８】
評価結果を表１に示す。
【表１】
2014136364.tif 000005
【００１９】
評価方法
外観：目視による。
○  ：欠点なし。
【図面の簡単な説明】
【００２０】
【図１】実施例１の製造方法を示す構成断面図。
【図２】実施例３の製造方法を示す構成断面図。
【符号の説明】
【００２１】
１  ホログラムフィルム
２  フルネルレンズフィルム
５  メラミン樹脂含浸パターン紙
６  フェノール樹脂含浸コア紙
７  化粧板
８  化粧板
【図１】
2014136364.tif 000006
【図２】
2014136364.tif 000007
(57)【要約】【課題】本発明は、単位部材で構築された構造体の空所内に梯子を設けても、空所内を狭くしない梯子の形成方法を提供するものである。【解決手段】盤体と盤体に開口した筒状部からなる単位部材を上下左右に配列して得られた構造物において、構造物内に垂直方向に単位部材の存在しない空所を形成し、前記空所の縁部を形成する単位部材の盤体は盤体の縁部に凹部が設けられ、当該凹部に嵌合する枠材を用いて構造物内部を昇降する梯子とすることを可能とした構造物である。【選択図】図２
2014136931.tif 000002
【特許請求の範囲】
【請求項１】
盤体と盤体に開口した筒状部からなる単位部材を上下左右に配列して得られた構造物において、構造物内に垂直方向に単位部材の存在しない空所を形成し、前記空所の縁部を形成する単位部材の盤体は盤体の縁部に凹部が設けられ、当該凹部に嵌合する枠材を用いて構造物内部を昇降する梯子とすることを可能とした構造物。
【発明の詳細な説明】
【技術分野】
【０００１】
本発明は、単位部材を用いた雨水等の地下式貯留・浸透槽の技術に属する。
【背景技術】
【０００２】
雨水等の流出抑制を目的として、プラスチック等で製造された単位部材を地下に配列充填し貯留空間を形成し、その周囲を透水性シート、あるいは遮水シートで覆った雨水等の貯留浸透槽が普及している。この目的のため各種の異なる形状の単位部材が例えば特開昭63-268823、特開昭63-293233、特開平9-296486、特開平10-252108、特開平11-222886などに提案且つ使用されている。いずれの方法においても貯留空間に一時貯留した雨水等を、地下水位の低い場所では透水性シートを介して地中に浸透させ、地下水位の高い場所では遮水シートで地下水の槽内への侵入を防ぎ、徐々に下水等に放流する。
かかる樹脂製単位部材を用いた地下式貯留・浸透槽は、貯留空間内に垂直方向に単位部材の存在しない空所を設け人孔とすることが行なわれている。かかる人孔内には必要に応じて昇降用の梯子が設けられることがあるが、実用新案登録3146194号に開示されるよう空所内に設けるため、梯子の分だけ出っ張りとなり、空所内を狭くする問題点があった。
【先行技術文献】
【特許文献】
【０００３】
【特許文献１】特開昭63-268823
【特許文献２】特開昭63-293233
【特許文献３】特開平9-296486
【特許文献４】特開平10-252108
【特許文献５】特開平11-222886
【特許文献６】実用新案登録3146194号
【発明の開示】
【発明が解決しようとする課題】
【０００４】
本発明は、単位部材で構築された構造体の空所内に梯子を設けても、空所内を狭くしない梯子の形成方法を提供するものである。
【課題を解決するための手段】
【０００５】
本発明は、盤体と盤体に開口した筒状部からなる単位部材を上下左右に配列して得られた構造物において、構造物内に垂直方向に単位部材の存在しない空所を形成し、前記空所の縁部を形成する単位部材の盤体は盤体の縁部に凹部が設けられ、当該凹部に嵌合する枠材を用いて構造物内部を昇降する梯子とすることを可能とした構造物である。
【発明の効果】
【０００６】
本発明は、空所の縁部を形成する単位部材の盤体縁部に凹部を設け、凹部に嵌合する枠材を用いて梯子としたため、空所内を狭くしない。
【図面の簡単な説明】
【０００７】
【図１】は、本発明に使用する単位部材の概念図を示す。
【図２】は、梯子を形成する枠材と枠材を単位部材に嵌合させた状態を示す概念図である。
【図３】は、梯子の概念図である。
【図４】は、本発明に使用可能な単位部材の形状の例を示す。
【図５】は、本発明の梯子を有する雨水等の貯留・浸透施設の例を示す。
【発明を実施するための形態】
【０００８】
以下、本発明を図により詳細に説明する。
構造物を本単位部材で形成するためには、一般的に２個の本単位部材の筒部を対向させた状態をユニットとし、本ユニットを地下の空所に上下左右に配置、充填する。構造物内の単位部材を垂直方向にはずし、構造物内に単位部材の存在しない空所を形成する。一般的には、本構造物を地下に形成し貯留空間とし、その貯留空間をシート類で包み雨水等の貯留浸透施設として使用する。図５に示すように、空所部を人孔部とし、その上部に市販の側塊を設置し人孔とする。
【０００９】
以下、構造物を雨水等の貯留・浸透施設として利用する例に基づき説明する。
図1は、本発明に使用する人孔部の縁部を形成する単位部材の概念図である。図に示すとおり、本単位部材は一般には正方形な盤体と盤体表面に開口し、盤体に対し垂直方向に向く筒状部から構成されている。さらに盤体縁部には嵌合用の凹部が筒状部と同じ方向に設けられている。本単位部材は上述したように一般的には図２に示すように、二つの単位部材の筒部を対向させた状態をユニットとし、あるいは図４ｃに示す単位部材では、二つの単位部材を筒部が９０度ずれるように対向させた状態をユニットとして、いずれのばあいも筒部が垂直に連なるように配置させて貯留空間内に配置される。したがい、盤体縁部に設けられる凹部はユニットとした時互いに対向する向きになり、梯子となる枠体が嵌合可能となる。本単位部材の盤体は一般的にリブとリブをつなげる板とから形成され、雨水の流通が容易となるよう上下方向に貫通する孔が適宜設けられている。単位部材のその他の形状例は、図４に示す。
【００１０】
図２ａは人孔部の梯子を形成する枠材である。枠材は図に示すとおり、水平方向に梯子段となる板部が設けられている。単位部材をユニットとしたとき、本枠材を図２ｂに示すように盤体縁部に設けた凹部に嵌合させる。これを人孔部の高さまで組み上げれば人孔部に図２ｃ、図３に示すような梯子が形成されることとなる。枠材を梯子として使用するとき、ユニットごとの枠材を縦方向に鎹状のボルトを用いて上下に結合することもできる。
【００１１】
図５に示すように貯留空間を浸透シート、遮水シートで覆い浸透槽あるいは貯留槽とし、泥だめ枡、流入管、溢流管、オリフィスますなど付帯設備を設けて、従来の流出抑制用の雨水等の貯留・浸透槽あるいは雨水利用のための貯留槽として使用する。
【産業上の利用可能性】
【００１２】
単位部材を使用する雨水等の貯留・浸透槽として、雨水利用のための貯留槽として使用できる。
【符号の説明】
【００１３】
１  単位部材
１１盤体
１２筒状部
１３凹部
２  枠材
３  ユニット
４  梯子
【図１】
2014136931.tif 000003
【図２】
2014136931.tif 000004
【図３】
2014136931.tif 000005
【図４】
2014136931.tif 000006
【図５】
2014136931.tif 000007
(57)【要約】      （修正有）【課題】施工対象地盤の不陸の状態にかかわらず、施工すべき位置に正確かつ効率的に貫入施工できる鋼管杭を提供する。【解決手段】鋼管杭先端部分を鋭利にして杭先端の位置決めを可能とし、さらに杭の先端部分の１０ｃｍ上方から案内板（ガイド板）を設けるようにして杭を回転貫入できるようにした。【選択図】図２
2014136961.tif 000002
【特許請求の範囲】
【請求項１】
杭先端部分から案内板を１０ｃｍ上げて正確に地面に打ち込まれていく。
【請求項２】
地盤面が荒地でも基礎盤の下にもう１枚盤を付けて傾斜が自由に付けられるようにする
【請求項３】
杭の案内板（ガイド板）先端部分を鋭利にして、杭打込み時の荷重を分散ができる。
【発明の詳細な説明】
【発明の概要】
従来の杭を改良して、より正確な位置に早く貫入できる事、そして杭上部地盤に不陸があっても傾斜を付けられるようにした。
【発明が解決しようとする課題】
【０００１】  従来の杭は地面に打込むとき地盤等の不陸の状況により、杭貫入する時方向がずれる事があった。
従来の杭は、上部構造物に対して方向が決まっていた。
杭打込み後は地盤に状態に関係して案内板（ガイド板）の変形が考えられる。
【課題を解決するための手段】
【０００２】  従来の杭の先端部分を改良して、地盤面に対しより垂直に入っていくようにした。
この杭に対して、０°〜３０°まで、傾斜が自由に付けられるように基礎盤ともう１枚下部に盤を設けて調整ができるようにした。
杭の案内板（ガイド板）先端部分を鋭利にして、杭回転貫入時の荷重の掛かりを分散できるようにした。
【発明の効果】
【０００３】  杭先端からの案内板（ガイド板）を１０ｃｍ上げる事により、より正確に杭が地面に打込まれていくようになった。
基礎盤ともう１枚の盤を付ける事により、不陸がしてない地盤であっても、０°〜３０°まで傾斜が自由に変えられる事により微妙な調整が可能となりさらに地盤支持力の増加が増した。
杭案内板（ガイド板）先端を鋭利にした事により、杭打込み後の案内板先端の変形が押さえられ、よりスムーズに地盤に貫入していく。
【図面の簡単な説明】
【０００４】
【図１】  改良した杭の側面図と写真である。
【図２】  杭の先端部分の側面詳細図と写真である。
【図３】  杭頭部分の傾斜が付けられる部分の詳細図と写真である。
【符号の説明】  １    杭先端部
２    傾斜盤
３    案内盤
【図１】
2014136961.tif 000003
【図２】
2014136961.tif 000004
【図３】
2014136961.tif 000005
(57)【要約】      （修正有）【課題】安全、小働力、削り屑等の始末等の作業がその場で一括に出来る土台敷機を提供する。【解決手段】土台敷機は主軸１を基礎の上に十字に成る様に取り付けてアングル２等で倒れない様に固定する。次に主軸１の上に土台を乗せる、ボルトが上に出ていても土台が落ちないように、手で支える必要はなく、簡単にボルトの位置を土台に移し取ることができ、又穴を開ける時は、土台敷機の上で穴を開けることができ、さらにその削り屑は下に置いた屑箱にそのまま収容する。【選択図】図１
2014136959.tif 000002
【特許請求の範囲】
【請求項１】
此の土台敷機は−１主軸は基礎の上に十字に成る様に乗せてー２アングル等で倒れないように固定してその上に土台を乗せてその場でアンカーボートの位置を土台に移し取りボートの穴を開けて削り屑もー３の箱の中に取りその場で土台敷きが一括に作業が終わる
【発明の詳細な説明】
【技術分野】
【０００１】    此の、発明は土台敷機、大工道具に係わる、特に安全、小働力で、削り屑を散らさない土台敷機に関する
【背景技術】
【０００２】従来は、土台を敷く時は基礎の上ばに乗せてアンカーボート  センターを土台に移し出す時に上にアンカーボートが出ているので土台が半分以下しか乗らず耐図手で土台をささいなくては土台が転げ落ちます又アンカーボートの穴を開ける時は下に台を敷いてその上に土台を乗せて穴を開けなくてわならず又は、穴を明けた削り屑は基礎の内外に散乱します、それを解消出来る土台敷機
【先行技術文献】
【特許文献】
【特許文献】
【発明の概要】
【発明が解決しようとする課題】
【０００３】＿
本発明の、土台敷機は大変な作業を楽に安全、小働力、削り屑の始末等の作業の解決を求められている
【発明を解決するための手段】
【０００４】このような目的を達成する本発明の土台敷機は図面の１−の主軸を基礎の上に十字になるように乗せて２−で基礎を強く挟み４−で締め付ける又これに乗せる土台の両端に成る様に取り付け土台を乗せてアンカーボートのセンタを土台に移すし取りその場で穴も開けることも出来て又その削り屑も３−の屑箱に取り入れることが出来る、安全、小働力、削り屑の始末等が出来る土台敷機
【発明の効果】
【０００５】本発明の土台敷機は従来は、基礎の上に土台を乗せても、基礎の上にはアンカーボートが出ているので土台の巾の半分以下しか乗らず、土台から支え手を放すと落下します、又土台にアンカーボートの位置を移し取る時は土台から支え手を放せませんでした、又アンカーボートの穴を開ける時は、下に台を敷いてその上に土台を乗せて穴を開けていました、又その削り屑は基礎の内外に散らばります、本発明の道具をセットした上に土台乗せて前記の不便な事は、全部解消出来る土台敷機
【発明を実施するための形態】
【０００６】以下本発明の土台敷機の形態について図面を参照にして説明する
【０００７】  本発明の土台敷機は簡単に説明すると、土台敷機を基礎の上に取り付けてその上に土台を乗せてアンカーボートの位置を土台に移し取りドリルで穴を開けてその削り屑を屑箱に収める等の機能が有する土台敷機
【０００８】図１−１は基礎の上に取り付け土台を乗せる台−２は寸法が違う基礎でも合せて締め付けが出来るアングルー３アンカーボートの穴を開けた削り屑を収める屑箱−４は２のアングルを止める蝶ネジ等から組み立てられている土台敷機
【図面の簡単な説明】
【０００９】
【図１】本発明の土台敷機の実施説明
【符号の説明】１−主軸      土台を乗せる台
２−アングル  転倒防止
３−屑箱      削り屑入れ
４−蝶ネジ    アングルを固定
【図１】
2014136959.tif 000003
【図２】
2014136959.tif 000004
【手続補正書】
【提出日】平成25年3月29日(2013.3.29)
【手続補正１】
【補正対象書類名】明細書
【補正対象項目名】０００９
【補正方法】変更
【補正の内容】
【０００９】
【図１】本発明の土台敷機の実施説明
【図２】本発明の土台敷機の実施説明
(57)【要約】【課題】自然景観の保護が最優先の自然公園では、人工的な建造は大きく制限されている。原発事故以来、安全、安定な再生可能エネルギーとして、地熱発電が切り札と考えられている。地球温暖化を防がねば、聖域である自然公園でも、気温上昇に伴う生態系への影響は免れない。一方では温泉の枯渇など地熱発電の影響が懸念されている。【解決手段】発電設備と、それらを収容するための屋根と外壁を人工岩や植生などで被覆したドームを設計し、発電所が自然の景観に溶け込めるかの判断を、ＣＧなどで、関係者で確認した後、建設地の外で製作、現地で組み立てて再度確認、可能な限り、このドームの中で建設や操業を行うことにより、景観と現地の損傷を最小限にできる。発電所の熱水を、必要に応じて、温泉に給湯、温泉排水を、更なる不足には河川水等を追加し、別置の還元井から地熱熱水源周辺に注入し、温泉の枯渇を防ぐ。【選択図】なし【特許請求の範囲】
【請求項１】
地熱発電所の設計と同時に、発電設備などを収容するための屋根と外壁の設計を開始し、人工岩や植生などで被覆することにより、自然の景観に溶け込めるかどうかの判断を、ＣＧなどを活用して関係者で確認しながら、他の場所で製作して現地で組み立て、景観や建設に伴う損傷を最小限にできることを再確認して工事を進めるための、屋根と外壁を持つことを特徴とする地熱発電
【請求項２】
請求項１の屋根と外壁を組み立てたのち、可能な範囲で、その屋根と外壁の中で作業を行い、自然環境への影響を少なくすることを特徴とする地熱発電
【請求項３】
請求項１の外壁の構成材として、必要に応じて、騒音を出さないための防音材を使用するとともに、降雪地帯では周囲の積雪量に合わせる自動融雪機構を備えることを特徴とする地熱発電
【請求項４】
不自然な水蒸気の白煙が自然の景観を損なうと考えられる場合には、発電タービンの回転に使用した蒸気の冷却水を外気にさらして冷却する方式ではなく、熱水が周囲の空気に触れて水蒸気の白煙を出さないように、冷却フィンを取り付けた管などに熱水を通し、この管を空冷する密閉型の冷却装置を備えることを特徴とする地熱発電
【発明の詳細な説明】
【技術分野】
【０００１】この発明は、自然景観の保護が最優先で、人工的な建造が大きく制限されている自然公園で、原発事故を受けて以来、安全、安定な再生可能エネルギーの切り札として考えられている地熱発電を、自然景観に与える損傷を最小限にして、自然公園の維持はもちろん、地球の温暖化防止に寄与し、日本の経済的発展に寄与する地熱発電に関するものである。
【背景技術】
【０００２】従来は、自然公園の中では、人工的な建造はほとんど認められていなかった。近年、その制約が少しは緩められてきた感じがする。が、依然として厳しい規約が存在している。
【発明が解決しようとする課題】
【０００３】自然公園は人工的に破壊されてはならない。が、原発の事故以来、火力発電の比重が高まり、二酸化炭素の排出が増加している。これでは地球温暖化を防ぐことは不可能である。さらに地球温暖化が進めば、公園を取り巻く自然が影響を受け、動植物の生育環境が変化し、自然公園そのものもそれに応じて変化せざるを得なくなってくる。再生可能エネルギーとして、太陽、風、海流など様々な資源が開発されている。いずれも気象条件にかかわらず安定して電力が供給できるかとの質問には残念ながら正解とは言えない。安全で、２４時間安定して発電でき、かつ、地球温暖化を防げる再生可能エネルギーとしての地熱発電が求められている。
【課題を解決するための手段】
【０００４】自然公園では、人工的な存在は、不自然であり、排除すべきものであることは間違いない。しかしながら、その環境は地熱発電の最適地なのである。景観の保護と地熱発電を両立させるには、人工物をできるだけ自然景観に合わせるしか方法がない。日本には、遊園地などで見かける、自然そっくりな岩山などが現実に作られ、実用化している。また耐候性の塗料なども使われている。草木を生やした岩の壁も実用化され、夏の気温上昇を防ぐのに効果をあげている。これらの衆知を結集すれば、自然景観の中で、景観に溶け込む建造物が可能といえる。
【発明を実施するための形態】
【０００５】地熱発電の建設にあたって、概略の大きさなどが判明した時に、それを収容する屋根と外壁も推測がつく。ＣＧなどにより、自然景観に与える影響を最小限にするために自然に溶け込むような外観の屋根と外壁を考え、関係者で判断し、了解されれば、試作、現地組み立て、再評価と進む。基礎工事など、屋根と外壁の中での作業が困難な場合も考えられるが、できるだけ外部に影響を与えないように屋根と外壁の中で工事を進める。
【発明の効果】
【０００６】環境への損傷を最小限にすることができ、かつ、自然景観に溶け込めるような地熱発電が可能になれば、現在の自然公園などに関する規制緩和につながり、世界第３位の地熱大国のエネルギーの将来は極めて明るく、地球温暖化の防止とあいまって、より良い未来を子子孫孫に約束できる。
【手続補正書】
【提出日】平成25年10月6日(2013.10.6)
【手続補正１】
【補正対象書類名】特許請求の範囲
【補正対象項目名】全文
【補正方法】変更
【補正の内容】
【特許請求の範囲】
【請求項１】
地熱発電所の設計と同時に、発電設備などを収容するための屋根と外壁の設計を開始し、人工岩や植生などで被覆することにより、自然の景観に溶け込めるかどうかの判断を、ＣＧなどを活用して関係者で確認しながら、他の場所で製作して現地で組み立て、景観や建設に伴う損傷を最小限にできることを再確認して工事を進めるための、屋根と外壁を持つことを特徴とする地熱発電
【請求項２】
請求項１の屋根と外壁を組み立てたのち、可能な範囲で、その屋根と外壁の中で作業を行い、自然環境への影響を少なくすることを特徴とする地熱発電
【請求項３】
請求項１の外壁の構成材として、必要に応じて、騒音を出さないための防音材を使用するとともに、降雪地帯では周囲の積雪量に合わせる自動融雪機構を備えることを特徴とする地熱発電
【請求項４】
不自然な水蒸気の白煙が自然の景観を損なうと考えられる場合には、発電タービンの回転に使用した蒸気の冷却水を外気にさらして冷却する方式ではなく、熱水が周囲の空気に触れて水蒸気の白煙を出さないように、冷却フィンを取り付けた管などに熱水を通し、この管を空冷する密閉型の冷却装置を備えることを特徴とする地熱発電
【請求項５】
地熱発電から出る熱水は、還元井に戻す以外に、必要に応じて、有害物質を除去した後に温泉地に給湯し、温泉地の排水は汚れを除き、さらに温泉水の減少が懸念される場合は河川水などを追加し、これらを別置の還元井から地熱熱水源付近に還流し、温泉の枯渇をおこさせないことを特徴とする地熱発電